(57)【特許請求の範囲】
【請求項１】
利用者の利用者情報を記憶した携帯端末と、プリペイド方式のＩＣカードを発行する発行端末と、ＩＣカードの発行を管理する発行管理装置と、ＩＣカードの固有番号に紐付けしてカード残高情報を記憶するカード管理装置とから少なくとも構成されるＩＣカード発行システムであって、
ＩＣカードを発行する際、
前記発行端末は、前記携帯端末から読み出した前記利用者情報を含む発行要求を前記発行管理装置へ送信し、
前記発行管理装置は、前記発行要求が前記発行端末から送信されると、発行するＩＣカードの固有番号を生成し、発行するＩＣカードの固有番号を前記発行要求に含まれる前記利用者情報に紐付けして保存した後、発行するＩＣカードの固有番号を含む発行通知を前記カード管理装置へ送信すると共に、発行するＩＣカードの固有番号を前記発行端末へ送信して前記発行端末はＩＣカードを発行し、
ＩＣカードを再発行する際、
前記発行端末は、前記携帯端末から読み出した前記利用者情報を含む再発行要求を前記発行管理装置へ送信し、
前記発行管理装置は、前記再発行要求が前記発行端末から送信されると、前記再発行要求に含まれる前記利用者情報に紐付けられている固有番号を、再発行の対象となるＩＣカード（元カード）の固有番号として特定し、再発行後のＩＣカード（再発行カード）の固有番号を生成した後、前記元カード及び前記再発行カードの固有番号を含む再発行通知を前記カード管理装置に送信し、
前記カード管理装置は、前記元カードの固有番号に紐付けされている前記カード残高情報を前記再発行カードの固有番号に紐付けしてから、前記元カードの固有番号に紐付けされている前記カード残高情報を前記発行管理装置へ送信し、
前記発行管理装置は、前記再発行カードの固有番号と前記カード管理装置から受信した前記元カードの前記カード残高情報を前記発行端末へ送信して前記発行端末は前記再発行カードを発行する、
ことを特徴とするＩＣカード発行システム。
【請求項２】
ＩＣカードを発行する際、
前記発行管理装置は、前記携帯端末の認証に用いる認証情報を生成し、前記発行要求に含まれる利用者情報に前記認証情報を紐付けして保存した後、前記認証情報を前記発行端末に送信して前記発行端末は前記認証情報を前記携帯端末に保存し、
ＩＣカードを再発行する際、
前記発行端末は、前記携帯端末から読み出した前記利用者情報と前記認証情報を含む前記再発行要求を前記発行管理装置へ送信し、
前記発行管理装置は、前記再発行要求が前記発行端末から送信されると、前記再発行要求に含まれる前記利用者情報に紐付けされた前記認証情報と前記再発行要求に含まれる前記認証情報を照合し、前記認証情報の照合に成功したときのみ前記発行端末は前記再発行カードを発行する、
ことを特徴とする、請求項１に記載したＩＣカード発行システム。
【請求項３】
ＩＣカードを再発行する際、
前記発行管理装置は新たに前記認証情報を生成し、新たに生成した前記認証情報を前記発行端末に送信して前記発行端末は該認証情報を前記携帯端末に保存する、
ことを特徴とする、請求項２に記載したＩＣカード発行システム。
【発明の詳細な説明】
【技術分野】
【０００１】
本発明は、プリペイド方式のＩＣカードを発行する技術に関し、更に詳しくは、プリペイド方式のＩＣカードを再発行する技術に関する。
【背景技術】
【０００２】
非接触通信可能な非接触ＩＣカードが普及し、電車の定期券など、従来は紙媒体であったものが非接触ＩＣカードに変わりつつあり、カード型の金券であるプリペイドカードも、単なるプラスチックカードから非接触ＩＣカードに変わりつつある。
【０００３】
非接触ＩＣカードは、単なるプラスチックカードよりもセキュリティが高く偽造が困難なため、プリペイドカードを非接触ＩＣカードにすることで、単なるプラスチックカードのときには許可されなかった高額金額をプリペイド方式の非接触ＩＣカードにチャージできるようになるが、プリペイド方式の非接触ＩＣカードに高額金額がチャージされた状態で、プリペイド方式の非接触ＩＣカードの紛失や破損が発生すると、利用者の損害金額が高額になるため、プリペイドカードを非接触ＩＣカードにする際、紛失や破損した非接触ＩＣカードを再発行できる仕組みが必要とされている。
【０００４】
プリペイド方式のＩＣカードには非接触型に加え接触型もあるが、いずれにしても、プリペイドカードにＩＣカードを用いる際、元のＩＣカード（元カード）のカード残高を再発行後のＩＣカード（再発行カード）に引き継ぐことが必要となるため、プリペイド方式のＩＣカードを再発行するシステムでは、ＩＣカードを特定する情報に対応付けてカード残高を記憶するサーバが設けられ、プリペイド方式のＩＣカードを再発行する際、元カードを特定する情報を利用者から取得して元カードのカード残高を特定し、再発行カードに該カード残高を書き込む処理が行われる。
【０００５】
このように、プリペイド方式のＩＣカードを再発行する際、元カードを特定する情報が必要になり、例えば、特許文献１では、元カードを特定する情報として、ＩＣカード毎に異なる識別名称を利用することが記載され、また、特許文献２では、元カードを特定する情報として、カード番号または、氏名・生年月日等の個人情報を利用することが記載されている。
【先行技術文献】
【特許文献】
【０００６】
【特許文献１】特開２００４−１８５３２８号公報
【特許文献２】特開２００５−１６５７９７号公報
【発明の概要】
【発明が解決しようとする課題】
【０００７】
このように、プリペイド方式のＩＣカードを再発行する際、カード番号や個人情報などを利用して元カードを特定し、元カードのカード残高を再発行カードに書き込むことが必要になるが、元カードを特定する情報にカード番号を利用すると、カード番号はＩＣカードに印字されることが多いため、ＩＣカードを紛失してしまうと再発行時にカード番号がわからない問題がある。また、利用者の個人情報は、利用者が常日頃から記憶している情報であるが、プリペイド方式のＩＣカードを発行する際に個人情報を必要としないケースもある。
【０００８】
このようなことを考えると、利用者が常日頃から所持している物を利用して元カードを特定し、元カードのカード残高を再発行カードに書き込むことが望ましいと考えられ、利用者が常日頃から所持している物としては、広く普及している携帯端末（携帯電話やスマートフォン）を利用することが望ましいと考えられる。
【０００９】
そこで、本発明は、プリペイド方式のＩＣカードの利用者が所持する携帯端末を用いて再発行の対象となる元カードを特定し、元カードのカード残高を再発行カードに書き込むシステムを提供することを目的とする。
【課題を解決するための手段】
【００１０】
上述した課題を解決する第１の発明は、利用者の利用者情報を記憶した携帯端末と、プリペイド方式のＩＣカードを発行する発行端末と、ＩＣカードの発行を管理する発行管理装置と、ＩＣカードの固有番号に紐付けしてカード残高情報を記憶するカード管理装置とから少なくとも構成されるＩＣカード発行システムである。
【００１１】
第１の発明のＩＣカード発行システムにおいて、ＩＣカードを発行する際、利用者が所持する携帯端末に紐付けした状態でＩＣカードを発行できるように、前記発行端末は、前記携帯端末から読み出した前記利用者情報を含む発行要求を前記発行管理装置へ送信し、前記発行管理装置は、前記発行要求が前記発行端末から送信されると、発行するＩＣカードの固有番号を生成し、発行するＩＣカードの固有番号を前記発行要求に含まれる前記利用者情報に紐付けして保存した後、発行するＩＣカードの固有番号を含む発行通知を前記カード管理装置へ送信すると共に、発行するＩＣカードの固有番号を前記発行端末へ送信して前記発行端末はＩＣカードを発行する。
【００１２】
また、第１の発明のＩＣカード発行システムにおいて、ＩＣカードを再発行する際、再発行の対象となる元のＩＣカードを特定し、元カードのカード残高を再発行カードに書き込めるように、前記発行端末は、前記携帯端末から読み出した前記利用者情報を含む再発行要求を前記発行管理装置へ送信し、前記発行管理装置は、前記再発行要求が前記発行端末から送信されると、前記再発行要求に含まれる前記利用者情報に紐付けられている固有番号を、元カードの固有番号として特定し、再発行後のＩＣカード（再発行カード）の固有番号を生成した後、前記元カード及び前記再発行カードの固有番号を含む再発行通知を前記カード管理装置に送信し、前記カード管理装置は、前記元カードの固有番号に紐付けされている前記カード残高情報を前記再発行カードの固有番号に紐付けしてから、前記元カードの固有番号に紐付けされている前記カード残高情報を前記発行管理装置へ送信し、前記発行管理装置は、前記再発行カードの固有番号と前記カード管理装置から受信した前記元カードの前記カード残高情報を前記発行端末へ送信して前記発行端末は前記再発行カードを発行する。
【００１３】
更に、第２の発明は、第１の発明のＩＣカード発行システムにおいて、ＩＣカードを再発行する際にユーザの正当性を検証できるように、ＩＣカードを発行する際、前記発行管理装置は、前記携帯端末の認証に用いる認証情報を生成し、前記発行要求に含まれる利用者情報に前記認証情報を紐付けして保存した後、前記認証情報を前記発行端末に送信して前記発行端末は前記認証情報を前記携帯端末に保存し、ＩＣカードを再発行する際、前記発行端末は、前記携帯端末から読み出した前記利用者情報と前記認証情報を含む前記再発行要求を前記発行管理装置へ送信し、前記発行管理装置は、前記再発行要求が前記発行端末から送信されると、前記再発行要求に含まれる前記利用者情報に紐付けされた前記認証情報と前記再発行要求に含まれる前記認証情報を照合し、前記認証情報の照合に成功したときのみ前記発行端末は再発行カードを発行することを特徴とする。
【００１４】
更に、第３の発明は、第２の発明のＩＣカード発行システムにおいて、ＩＣカードを再発行する際に前記認証情報を変更できるように、ＩＣカードを再発行する際、前記発行管理装置は新たに前記認証情報を生成し、新たに前記認証情報を前記発行端末に送信して前記発行端末は該認証情報を前記携帯端末に保存する。
【発明の効果】
【００１５】
このように、本発明によれば、プリペイド方式のＩＣカードの利用者が所持する携帯端末を用いて、再発行の対象となる元カードを特定し、元カードのカード残高を再発行カードに書き込むシステムを提供できる。
【図面の簡単な説明】
【００１６】
【図１】本実施形態にかかるＩＣカード発行システムの構成を説明する図。
【図２】利用者が所持する携帯端末を説明する図。
【図３】発行端末を説明する図。
【図４】発行管理装置を説明する図。
【図５】カード管理装置を説明する図。
【図６】ＩＣカードを発行する際の動作を説明する図。
【図７】ＩＣカードを再発行する際の動作を説明する図。
【発明を実施するための形態】
【００１７】
ここから、本発明の好適な実施形態について、図面を参照しながら詳細に説明する。なお、これから説明する実施形態は本発明の一実施形態にしか過ぎず、本発明は、これから説明する実施形態に限定されることなく、種々の変形や変更が可能である。
【００１８】
図１は、本実施形態にかかるＩＣカード発行システム１の構成を説明する図である。図１に図示したように、本実施形態にかかるＩＣカード発行システム１は、利用者が所持する携帯端末２と、プリペイド方式のＩＣカード６を発行する発行端末３と、ＩＣカード６の発行を管理する発行管理装置４と、カード残高を含むＩＣカード６のカード利用情報を管理するカード管理装置５とから少なくとも構成され、発行端末３、発行管理装置４及びカード管理装置５はインターネット７に接続されている。
【００１９】
プリペイド方式のＩＣカード６を再発行する際、再発行の対象となるＩＣカード６を特定することが必要になり、例えば、紛失又は破損したＩＣカード６を特定するために、カード番号や利用者の個人情報を利用することが知られているが、本実施形態にかかるＩＣカード発行システム１では、ＩＣカード６を発行する際、携帯端末２から得られた利用者情報に紐付けした状態でＩＣカード６の固有番号を発行管理装置４側で保存しておき、ＩＣカード６を再発行する際に、利用者が所持する携帯端末２から得られた利用者情報を利用して再発行の対象となるＩＣカード６を特定することで、利用者が所持する携帯端末２を利用して、再発行の対象となるＩＣカード６を特定し、該ＩＣカード６のカード残高を再発行したＩＣカード６に書き込むことができるようにしている。
【００２０】
ここから、本実施形態にかかるＩＣカード発行システム１を構成する各装置について説明する。
【００２１】
まず、利用者が所持する携帯端末２について説明する。図２は、利用者が所持する携帯端末２を説明する図である。利用者が所持する携帯端末２は、携帯電話やスマートフォンで実現される装置で、発行端末３と通信するために、ＦｅｌｉＣａ（登録商標）のように、アンテナコイルが接続されたモバイル用非接触ＩＣチップ２０が実装されている。なお、発行端末３に印刷された２次元バーコードを利用して、携帯端末２はインターネット７を介して発行端末３にアクセスするように構成してもよい。
【００２２】
次に、発行端末３について説明する。図３は、発行端末３を説明する図である。発行端末３は、市販されているカード発行機のような装置で、発行端末３は、携帯端末２と通信する機能として、利用者が所持する携帯端末２のモバイル用非接触ＩＣチップ２０と非接触通信するリーダライタ３１を備え、カード管理装置５と通信する機能として、ネットワークＩ／Ｆ（InterFace）３５を備えている。
【００２３】
また、発行端末３は、利用者が発行端末３を利用できるように、情報を表示する表示部３２と、利用者が発行端末３を操作するための操作部３３を備え、表示部３２と操作部３３はタッチパネルにより実現されることが一般的である。
【００２４】
また、発行端末３は、プリペイド方式のＩＣカード６を発行できるように、未発行のＩＣカード６をストックするスタッカ、ＩＣカード６と通信するリーダライタなどを有し、発行管理装置４から指定されたカード発行情報を未発行のＩＣカード６に書き込むことでＩＣカード６を発行し、発行したＩＣカード６を発行端末３から排出するカード発行部３４を備え、更に、発行端末３は、コンピュータプログラムにより実現される機能として、発行端末３の動作を制御する発行制御部３０を備える。
【００２５】
次に、発行管理装置４について説明する。図４は、発行管理装置４を説明する図である。発行管理装置４は、汎用のネットワークサーバを利用して実現される装置で、発行端末３及びカード管理装置５と通信する機能として、ネットワークＩ／Ｆ４２を備え、ＤＢ（DataBase）として、発行端末３から得られた利用者情報に紐付けしてＩＣカード６の固有番号を記憶するレコードが設けられる発行管理ＤＢ４１を備え、更に、コンピュータプログラムにより実現される機能として、ＩＣカード６の発行を管理する発行管理部４０を備える。
【００２６】
次に、カード管理装置５について説明する。図５は、カード管理装置５を説明する図である。カード管理装置５は、汎用のネットワークサーバを利用して実現される装置で、発行管理装置４と通信する機能として、ネットワークＩ／Ｆ５２を備え、ＤＢ（DataBase）として、ＩＣカード６の固有番号に紐付けして、カード残高情報を記憶するレコードが設けられるカード管理ＤＢ５１を備え、更に、コンピュータプログラムにより実現される機能として、ＩＣカード６の利用を管理するカード管理部５０を備える。なお、カード残高情報には、カード残高を示す情報以外に、ＩＣカード６の利用履歴を含ませてもよい。カード残高情報は店頭のＰＯＳレジ等でＩＣカード６が使用されるたびに、ＰＯＳレジ等からカード管理装置５へ購買金額情報が送信され、カード管理ＤＢ５１のカード残高情報が更新される。
【００２７】
まず、プリペイド方式のＩＣカード６を発行する際の動作について説明する。図６は、ＩＣカード６を発行する際の動作を説明する図である。
【００２８】
発行端末３の発行制御部３０は、利用者が操作をしていない間、ＩＣカード６の発行にかかるメニューを表示部３２に表示させ、利用者が、発行端末３の操作部３３を操作して新規発行を選択すると、発行端末３の発行制御部３０は、まず、携帯端末２をリーダライタ３１に近接させるメッセージを表示部３２に表示し、利用者が携帯端末２をリーダライタ３１に近接させ、リーダライタ３１が携帯端末２を認識すると、携帯端末２に記憶されている利用者情報を読み取るコマンドを携帯端末２へ送信し（Ｓ１）、携帯端末２は、該コマンドを受信すると、携帯端末２に記憶している利用者情報を発行端末３へ送信し（Ｓ２）、発行端末３の発行制御部３０は、携帯端末２から利用者情報を取得する（Ｓ３）。
【００２９】
本実施形態において、発行端末３が携帯端末２から取得する利用者情報には、携帯端末２を所持する利用者でユニークなＵＩＤが含まれ、即時再発行ができない場合に利用者に連絡することができるように、利用者のメールアドレスを利用者情報に含ませることもできる。
【００３０】
発行端末３の発行制御部３０は、携帯端末２から利用者情報を取得すると、携帯端末２から取得した利用者情報を含む発行要求を発行管理装置４へ送信し（Ｓ４）、発行管理装置４の発行管理部４０は、発行端末３から発行要求を受信すると、まず、発行するＩＣカード６の固有番号を生成する（Ｓ５）。
【００３１】
発行するＩＣカード６の固有番号を生成すると、発行管理装置４の発行管理部４０は、携帯端末２を認証するための認証情報を生成する（Ｓ６）。認証情報の生成方法は任意であるが、例えば、ＩＣカード６を発行する日時と利用者情報を用い、ＭＡＣ（Message Authentication Code）のアルゴリムにより認証情報を生成することができる。
【００３２】
発行管理装置４の発行管理部４０は、発行端末３から受信した発行要求に含まれる利用者情報に対応するレコードを発行管理ＤＢ４１に追加し、発行するＩＣカード６の固有番号と認証情報を該レコードに記憶することで、発行端末３から受信した発行要求に含まれる利用者情報に紐付けして、発行するＩＣカード６の固有番号と認証情報を記憶する（Ｓ７）。
【００３３】
次に、発行管理装置４は、発行するＩＣカード６の固有番号を含む発行通知をカード管理装置５へ送信する（Ｓ８）。
【００３４】
カード管理装置５のカード管理部５０は、発行通知を発行管理装置４から受信すると、発行通知に含まれるＩＣカード６の固有番号に対応するレコードをカード管理ＤＢ５１に追加した後（Ｓ９）、ＩＣカード６の固有番号を少なくとも含む発行許可通知を発行管理装置４へ送信する（Ｓ１０）。
【００３５】
発行管理装置４は、発行許可通知が通知されると、まず、図６のＳ６で生成した認証情報を発行端末３へ送信し（Ｓ１１）、発行端末３の発行制御部３０は、認証情報を発行管理装置４から受信すると、リーダライタ３１を用いて、認証情報を携帯端末２に記憶させるコマンドを送信し（Ｓ１２）、携帯端末２は、発行管理装置４から受信した認証情報を記憶する（Ｓ１３）。
【００３６】
発行端末３の発行制御部３０は、発行管理装置４から受信した認証情報を携帯端末２に保存させると、携帯端末２に認証情報を保存させことを発行管理装置４へ通知し、発行管理装置４は、携帯端末２に認証情報を保存させことが通知されると、発行するＩＣカード６の固有番号を少なくとも含むカード発行情報を発行端末３へ送信する（Ｓ１４）。
【００３７】
発行端末３の発行制御部３０は、カード発行情報を発行管理装置４から受信すると、カード発行部３４を用いて、カード発行情報を一枚の未発行のＩＣカード６に書き込むことでＩＣカード６を発行して（Ｓ１５）、この手順は終了する。
【００３８】
このように、本実施形態のＩＣカード発行システム１では、発行端末３から受信した発行要求に含まれる利用者情報に紐付けして、発行するＩＣカード６の固有番号を発行管理装置４側で保存することで、発行するＩＣカード６は、利用者が所持する携帯端末２に対応付けられた状態で発行されることになる。
【００３９】
次に、プリペイド方式のＩＣカード６を再発行する際の動作について説明する。図７は、ＩＣカード６を再発行する際の動作を説明する図である。
【００４０】
発行端末３の発行制御部３０は、利用者が操作部３３を操作して再発行を選択すると、携帯端末２をリーダライタ３１に近接させるメッセージを表示部３２に表示し、利用者が携帯端末２をリーダライタ３１に近接させ、リーダライタ３１が携帯端末２を認識すると、リーダライタ３１を用いて、携帯端末２に記憶されている利用者情報と認証情報を読み取るコマンドを携帯端末２へ送信し（Ｓ２０）、携帯端末２は、該コマンドを受信すると、携帯端末２に記憶している利用者情報と認証情報を発行端末３へ送信し（Ｓ２１）、発行端末３の発行制御部３０は、携帯端末２から利用者情報と認証情報を取得する（Ｓ２２）。
【００４１】
発行端末３の発行制御部３０は、携帯端末２から利用者情報と認証情報を取得すると、携帯端末２から取得したこれらの情報を含む再発行要求を発行管理装置４へ送信し（Ｓ２３）、発行管理装置４の発行管理部４０は、発行端末３から再発行要求を受信すると、まず、発行管理ＤＢ４１を参照し、再発行要求に含まれる利用者情報に対応するレコードを検索し、検索したレコードから再発行の対象となる元のＩＣカード６（これ以降、「元カード」と記す。）の固有番号と、元カードを発行した時に生成した認証情報を取得する（Ｓ２４）。
【００４２】
元カードの固有番号と元カードに対応する認証情報を取得すると、発行端末３の発行制御部３０は、まず、元カードを発行した時に生成した認証情報と再発行要求に含まれる認証情報を照合する（Ｓ２５）。
【００４３】
認証情報の照合に失敗する（S２５：NO）と、発行端末３の発行制御部３０は、ＩＣカード６を再発行する手順を終了し、認証情報の照合に成功する（S２５：YES）と、発行端末３の発行制御部３０は、再発行後のＩＣカード６（これ以降、「再発行カード」と記す。）に書き込む固有番号を生成する（Ｓ２６）。
【００４４】
再発行カードの固有番号を生成すると、発行管理装置４の発行管理部４０は、新たな認証情報を生成し（Ｓ２７）、再発行要求に含まれる利用者情報に紐付けして記憶されている固有番号を再発行カードの固有番号に更新し、該レコードに記憶されている認証情報を新たに生成した認証情報に更新する（Ｓ２８）。
【００４５】
次に、発行管理装置４の発行管理部４０は、元カードの固有番号及び再発行カードの固有番号を含む再発行通知をカード管理装置５へ送信する（Ｓ２９）。
【００４６】
カード管理装置５のカード管理部５０は、再発行通知を発行管理装置４から受信すると、再発行通知に含まれる再発行カードの固有番号に対応するレコードをカード管理ＤＢ５１に追加した後（Ｓ３０）、再発行通知に含まれる元カードの固有番号に対応するレコードをカード管理ＤＢ５１から検索し（Ｓ３１）、再発行通知に含まれる元カードの固有番号に紐付けられているカード利用情報を、再発行カードの固有番号に対応するレコードにコピーした後、元カードの固有番号に対応するレコードを無効化にする（Ｓ３２）。
【００４７】
そして、カード管理装置５のカード管理部５０は、再発行通知に含まれる再発行カードの固有番号及び元カードの固有番号に対応するレコードに記憶されていたカード利用情報を少なくとも含む再発行許可通知を発行管理装置４へ送信する（Ｓ３３）。発行管理装置４の発行制御部３０は、再発行許可通知が通知されると、新たに生成した認証情報を発行端末３へ送信する（Ｓ３４）。
【００４８】
発行端末３の発行制御部３０は、認証情報を発行管理装置４から受信すると、リーダライタ３１を用いて、発行管理装置４から受信した認証情報を携帯端末２に記憶させるコマンドを送信し（Ｓ３５）、携帯端末２は、携帯端末２が記憶している認証情報を更新する（Ｓ３６）。
【００４９】
そして、発行端末３の発行制御部３０は、携帯端末２に認証情報を保存させことを発行管理装置４へ通知し、発行管理装置４の発行管理部４０は、携帯端末２に認証情報を保存させことが通知されると、再発行カードの固有番号及びカード管理装置５から受信したカード利用情報を少なくとも含むカード発行情報を発行端末３へ送信する（Ｓ３７）。
【００５０】
発行端末３の発行制御部３０は、カード発行情報を発行管理装置４から受信すると、カード発行部３４を用いて、カード発行情報を一枚の未発行のＩＣカード６に書き込むことで再発行カードを発行する（Ｓ３８）。
【００５１】
このように、本実施形態のＩＣカード発行システム１では、発行端末３から受信した再発行要求に含まれる利用者情報に紐付けして記憶されている固有番号から、再発行の対象となる元カードを特定するため、プリペイド方式のＩＣカード６の利用者が所持する携帯端末２を用いて、再発行の対象となる元カードを特定できるようになる。
【００５２】
また、ＩＣカード６を再発行する際に、発行端末３から受信した再発行要求に含まれる利用者情報に紐付けして記憶されている認証情報を照合することで、ＩＣカード６を再発行要求したユーザの正当性を検証できるようになる。
【符号の説明】
【００５３】
１    ＩＣカード発行システム
２    携帯端末
３    発行端末
４    発行管理装置
５    カード管理装置
６    ＩＣカード
【図１】
0005849752.tif 000002
【図２】
0005849752.tif 000003
【図３】
0005849752.tif 000004
【図４】
0005849752.tif 000005
【図５】
0005849752.tif 000006
【図６】
0005849752.tif 000007
【図７】
0005849752.tif 000008